(57)【特許請求の範囲】
【請求項１】
内部に空間を有し、該空間内に大気中の空気を流入可能な流入口及び前記空間内の空気が流出可能な流出口が形成されたハウジングと、
前記流入口から前記空間内に空気を流入させると共に、その空気を前記流出口に向かって一定の速度で流動させ、前記空間内に所定速度の気体流を発生させる流動手段と、
前記気体流が発生する位置にパッシブサンプラを保持する保持手段と
を備え、
前記ハウジングは、筒状に形成されたハウジング本体と、ハウジング本体の上流側の開口を閉塞可能な蓋部材とを備え、
前記流入口は、前記蓋部材の中心を中心とする同一円の円周上に等間隔をおいて連なって形成された複数のオリフィスからなり、
前記保持手段は、前記蓋部材の内面の中心位置に上流側端部が接続され、その下流側端部において、前記気体流の流動方向と平行となるように前記パッシブサンプラを保持するよう構成されている
ことを特徴とする大気中の被捕集物質の捕集装置。
【請求項２】
前記流動手段は、
前記流出口に設けられ、前記空間内に所定速度の気体流を発生させるファンと、
前記ファンを駆動させる電池と
を備えることを特徴とする請求項１記載の大気中の被捕集物質の捕集装置。
【請求項３】
請求項１又は２に記載の捕集装置を用いて行なう被捕集物質の捕集方法であって、
前記流動手段によって前記空間内に一定の速度で流動する前記気体流を発生させて、該気体流に含まれている被捕集物質をパッシブサンプラに捕集させる
ことを特徴とする大気中の被捕集物質の捕集方法。
【請求項４】
請求項３に記載の捕集方法により捕集された被捕集物質の濃度を測定する方法であって、
分子拡散係数（Ｄ）の値、周囲の濃度（Ｃ）の値、拡散長（Ｌ）の値、及びパッシブサンプラの捕集面積（Ａ）の値に基づいて、（ＳＲ＝Ａ×Ｄ×Ｃ／Ｌ）式から総捕集速度（ＳＲ）を算出し、
該総捕集速度（ＳＲ）の値と、パッシブサンプラにより捕集された被捕集物質の捕集量（Ｍ）の値及び捕集時間（ｔ）の値とに基づいて、（Ｃ´＝Ｍ／（ＳＲ×ｔ））式から大気中の被捕集物質の濃度（Ｃ´）を算出することを特徴とする大気中の被捕集物質の濃度測定方法。
【発明の詳細な説明】
【技術分野】
【０００１】
本発明は、大気中に浮遊するホルムアルデヒドや揮発性有機化合物（ＶＯＣ）などの被捕集物質をパッシブサンプラに捕集させる捕集装置と、この捕集装置により被捕集物質を捕集する捕集方法と、この捕集方法により捕集された被捕集物質の濃度を測定する濃度測定方法に関する。
【背景技術】
【０００２】
従来から、大気中に浮遊するホルムアルデヒドや揮発性有機化合物（ＶＯＣ）などの被捕集物質の捕集には、大気中に曝され、自然拡散により捕集を行なうパッシブサンプラが用いられている（特許文献１）。このパッシブサンプラは、パッシブサンプラ内に設けられた吸着剤や捕集剤によって捕集面の濃度を常にゼロにして、それよりも濃度の高い被捕集物質と一定の濃度勾配を保つことにより、物質濃度の移動拡散現象を利用して、被捕集物質を捕集するものである。
【０００３】
一方、パッシブサンプラの単位面積当たりの捕集率、すなわち単位捕集速度Ｊは、濃度勾配（Ｃ／Ｌ）及び拡散する物質の分子拡散係数Ｄ［ｎｇ／ｓｅｃ］により決定され、これは、いわゆるＦｉｃｋの拡散第１法則式（Ｊ＝Ｄ×Ｃ／Ｌ）により表すことができる。ここで、Ｆｉｃｋの拡散第１法則式において、Ｃは周囲の濃度［ｎｇ／ｍｌ］を表し、Ｌは拡散長［ｃｍ］、すなわちパッシブサンプラの導入口から捕集面までの長さを表す。また、（ＳＲ＝Ａ×Ｄ×Ｃ／Ｌ）式に示すように、単位面積当たりの捕集率Ｊ（Ｊ＝Ｄ×Ｃ／Ｌ）に捕集面積Ａを掛けることにより、パッシブサンプラの総捕集速度ＳＲを求めることができる。一般にこれをサンプリングレートＳＲといい、パッシブサンプラのある特定の被捕集物質に対する固有捕集速度として知られている。このサンプリングレートＳＲは、［μｇ／（ｐｐｍ×ｍｉｎ）］などの次元単位で表現され、これにより、サンプリングレートＳＲの値と、捕集後の分析結果から得られた採取量Ｍ［μｇ］及び捕集時間ｔ［ｍｉｎ］の値とから、（Ｃ´＝Ｍ／（ＳＲ×ｔ））式に基づいて、大気中の被捕集物質の濃度Ｃ´を求めることができることが知られている。
【先行技術文献】
【特許文献】
【０００４】
【特許文献１】特開２００３−１１４１７６号公報
【発明の概要】
【発明が解決しようとする課題】
【０００５】
しかしながら、パッシブサンプラのサンプリングレートＳＲは、自然拡散により捕集を行なうものであるため、図５に示すように、現場における風速の影響により定数値を示さず、特に微風速の場合には、サンプリングレートＳＲが著しく変動するという問題がある。これは、パッシブサンプラの周囲風速が小さくなることにより、拡散濃度勾配がパッシブサンプラから延伸してパッシブサンプラ外において濃度勾配を作ってしまい、拡散長Ｌの値が大きく変動するためであると考えられている。
【０００６】
その為、多くの市販品において、拡散長Ｌを大きく取る事で延伸を見かけ上小さくする等の設計デザインを行うのが一般である。しかしながら、延伸を０にすることは原理上不可能であり、かつ実際の測定環境において風速は常に変動しており、風速変動に応じ拡散長Ｌも変動してしまう為、パッシブサンプラにおいて見掛け上の拡散長Ｌを予測し定数化とすることは不可能に近い。これにより、従来から、パッシブサンプラを用いた大気中の被捕集物質の濃度を正確に測定する場合には、測定現場に応じてサンプリングレートＳＲを実測にて求め、あるいは、ポンプなどを用いるアクティブ法との比較をして、予め代表値としてサンプリングレートＳＲを求め、これを用いるという、概括的な算定手法を用いなければならず、測定が煩雑、アクティブ法より精度の低い下位の手法であるという問題がある。
【０００７】
そこで、本発明は、現場における風速の影響を排除し、安定した被捕集物質の捕集を可能とする大気中の被捕集物質の捕集装置を提供することを第１の目的とする。また、本発明は、アクティブ法の様な精密な流量管理を必要とせずに、安価で感度の優れた捕集を可能とする大気中の被捕集物質の捕集方法を提供することを第２の目的とする。さらに、本発明は、Ｆｉｃｋの拡散第１法則式を精度良く反映させ、被捕集物質に対するサンプリングレートＳＲを計算式で適合させることが可能な大気中の被捕集物質の濃度測定方法を提供することを第３の目的とする。
【課題を解決するための手段】
【０００８】
上記第１の目的を達成するため、本発明に係る大気中の被捕集物質の捕集装置は、内部に空間を有し、該空間内に大気中の空気を流入可能な流入口及び前記空間内の空気が流出可能な流出口が形成されたハウジングと、前記流入口から前記空間内に空気を流入させると共に、その空気を前記流出口に向かって一定の速度で流動させ、前記空間内に所定速度の気体流を発生させる流動手段と、前記気体流が発生する位置にパッシブサンプラを保持する保持手段とを備えることを特徴とする。
【０００９】
このように、本発明に係る大気中の被捕集物質の捕集装置によれば、流動手段により一定速度の気体流を発生させると共に、気体流が発生する位置にパッシブサンプラを保持させることにより、パッシブサンプラに対する空気の風速を一定とすることができるため、現場における風速の影響を排除し、安定した被捕集物質の捕集を可能とすることができる。
【００１０】
本発明に係る大気中の被捕集物質の捕集装置において、前記流入口は、多孔状に形成されていることが好ましく、このように、流入口が多孔状に形成されることにより、現場が強風である場合においても流入口から流入される空気の速度を一定にすることができるため、より現場における風速の影響を排除することができる。
【００１１】
また、本発明に係る大気中の被捕集物質の捕集装置において、前記流動手段は、前記流出口に設けられ、前記空間内に所定速度の気体流を発生させるファンと、前記ファンを駆動させる電池とを備えることが好ましく、これにより、流動手段を簡易な構造とし、捕集装置を製造するためのコストを低減させることができる。また、ファンが電池により駆動されるため、電源の供給が困難な測定場所においても用いることができる。
【００１２】
さらに、本発明に係る大気中の被捕集物質の捕集装置において、前記保持手段は、前記気体流に対してパッシブサンプラの捕集面が均一に曝されるように、該パッシブサンプラを保持可能に構成されることが好ましく、これにより、より安定した被捕集物質の捕集を可能とすることができる。ここで、パッシブサンプラの捕集面が均一に曝されるようにパッシブサンプラを保持可能な構成とは、例えばチューブ状のパッシブサンプラの場合には、パッシブサンプラの中心軸の方向と気体流の流動方向とが平行となるように保持する構成である。
【００１３】
また、上記第２の目的を達成するため、本発明に係る大気中の被捕集物質の捕集方法は、上記捕集装置を用いて行なう被捕集物質の捕集方法であって、前記流動手段によって前記空間内に一定の速度で流動する前記気体流を発生させて、該気体流に含まれている被捕集物質をパッシブサンプラに捕集させることを特徴とする。
【００１４】
このように、本発明に係る大気中の被捕集物質の捕集方法によれば、ハウジングの空間内に一定の速度で流動する気体流を発生させて、該気体流に含まれている被捕集物質をパッシブサンプラに捕集させることにより、パッシブサンプラに対する空気の風速を一定とすることができるため、現場における風速の影響を排除し、安定した被捕集物質の捕集を可能とすることができ、また、アクティブ法の様な精密な流量管理を必要とせずに、安価で感度の優れた捕集を可能とすることができる。
【００１５】
さらに、上記第３の目的を達成するため、本発明に係る大気中の被捕集物質の濃度測定方法は、上記捕集方法により捕集された被捕集物質の濃度を測定する方法であって、分子拡散係数（Ｄ）の値、周囲の濃度（Ｃ）の値、拡散長（Ｌ）の値、及びパッシブサンプラの捕集面積（Ａ）の値に基づいて、（ＳＲ＝Ａ×Ｄ×Ｃ／Ｌ）式から総捕集速度（ＳＲ）を算出し、該総捕集速度（ＳＲ）の値と、パッシブサンプラにより捕集された被捕集物質の捕集量（Ｍ）の値及び捕集時間（ｔ）の値とに基づいて、（Ｃ´＝Ｍ／（ＳＲ×ｔ））式から大気中の被捕集物質の濃度（Ｃ´）を算出することを特徴とする。
【００１６】
このように、本発明に係る大気中の被捕集物質の濃度測定方法によれば、現場における風速の影響を排除することにより、拡散長Ｌの値の変動を抑制することができる。これにより、Ｆｉｃｋの拡散第１法則式（Ｊ＝Ｄ×Ｃ／Ｌ）を精度良く反映させ、（ＳＲ＝Ａ×Ｄ×Ｃ／Ｌ）式によりほぼ全ての拡散する被捕集物質のサンプリングレートＳＲを理論上推測することが可能となる。また、サンプリングレートＳＲの推測が可能となることにより、（Ｃ´＝Ｍ／（ＳＲ×ｔ））式により大気中の被捕集物質の濃度Ｃ´を正確に算出することができるため、精度の高い濃度測定を可能とすることができる。
【発明の効果】
【００１７】
以上のように、本発明によれば、現場における風速の影響を排除し、安定した被捕集物質の捕集を可能とする大気中の被捕集物質の捕集装置及び捕集方法を提供することができる。また、本発明によれば、Ｆｉｃｋの拡散第１法則式を精度良く反映させ、被捕集物質に対するサンプリングレートＳＲを計算式で適合させることが可能な大気中の被捕集物質の濃度測定方法を提供することができる。
【図面の簡単な説明】
【００１８】
【図１】本発明の一実施形態に係る捕集装置の概略構成を示す断面図である。
【図２】本実施形態に係る捕集装置をＡ方向から見た状態を示す側面図である。
【図３】本実施形態に係る捕集方法と従来の捕集方法との室内環境測定時の捕集量の比較を示すグラフである。
【図４】風速が異なるオフィス内２地点でのアクティブ法との比較測定結果を示すグラフである。
【図５】パッシブサンプラの捕集量と風速との関係を示すグラフである。
【発明を実施するための形態】
【００１９】
次に、本発明の一実施形態に係る捕集装置について、図面に基づいて説明する。本実施形態に係る捕集装置１は、図１に示すように、内部に空間１２を有するハウジング１０と、空間１２内に所定速度の気体流を発生させる流動部２０と、気体流が発生する位置にパッシブサンプラ２を保持する保持部３０とを備えている。本実施形態に係る捕集装置１においては、チューブ型のパッシブサンプラを用いるが、これに限定されず、種々のパッシブサンプラを用いることができ、また、本実施形態に係る捕集装置１は、パッシブサンプラの種類及び形状に応じて種々の改変を行なうことができる。
【００２０】
ハウジング１０は、円筒状に形成されたハウジング本体１０ａと、ハウジング本体１０ａの上流側（図１中、左側）の開口を閉塞可能な蓋部材１０ｂとから構成されている。
【００２１】
ハウジング本体１０ａは、パッシブサンプラ２を収納可能で、かつパッシブサンプラ２を収納した状態において、流動部２０によって発生された気体流が測定するのに十分に安定して流動可能な径と長さを有している。また、ハウジング本体１０ａの内面は、平滑な面により形成され、空間１２内を流動する気体流の流動経路を乱さないように構成されている。
【００２２】
蓋部材１０ｂは、ハウジング本体１０ａに対して脱着可能に構成され、ハウジング１０の空間１２内に大気中の空気を流入可能な流入口１４が形成されている。この流入口１４は、図２に示すように、多孔状、すなわち蓋部材１０ｂの中心を中心とする同一円の円周上に等間隔をおいて連なって形成された複数のオリフィスからなり、外部の環境によって流動部２０の静圧を増さないように構成されている。ハウジング本体１０ａの下流側（図１中、右側）の全域は、開放されており、これにより、空間１２内の空気が流出可能な流出口１６を構成している。
【００２３】
流動部２０は、図１に示すように、ハウジング１０の流出口１６に設けられたファン２２と、ファン２２を駆動させるための電力を供給する電力源（図示せず）とを備えている。このファン２２は、その駆動により、流入口１４から空間１２内に空気を流入させると共に、その空気を流出口１６に向かって一定の速度で流動させ、空間１２内に所定速度の気体流を発生させるように構成されている。ここで、ファン２２は、流動速度が０．３［ｍ／ｓｅｃ］以上の気体流を発生可能なものであることが好ましい。また、特に、１．０［ｍ／ｓｅｃ］以上とすることで、流動速度の変動に応じた捕集速度の変化を少なくする事が可能である。この事はアクティブ法と大きく異なり、流速管理について細かい制御を必要としない優位性を持ち、安価で精度のよい捕集装置を構成する事が可能となる。さらに、ファン２２は、単三乾電池２本で２４時間以上駆動可能な程度の低電力かつ小型なものを用いることが好ましく、所定速度の気体流を発生させるように構成されていれば、細かい流速制御を持つ必要はない。
【００２４】
保持部３０は、棒状に形成された支柱部３２と、パッシブサンプラ２の端部と嵌合可能な凹部３４とを備えている。この支柱部３２の上流側端部（図１中、左側）は、支柱部３２の中心軸がハウジング本体１０ａの中心軸と同軸となるように、蓋部材１０ｂの内面の中心位置に接続されており、支柱部３２の下流側端部（図１中、右側）には、下流側に開口が向くように凹部３４が設けられている。この保持部３０は、凹部３４にパッシブサンプラ２の端部を嵌合させることにより、パッシブサンプラ２の中心軸がハウジング本体１０ａの中心軸と同軸、すなわち気体流の流動方向に平行となり、気体流に対してパッシブサンプラの捕集面（周面）が均一に曝されるように、パッシブサンプラ２を保持可能に構成されている。また、保持部３０は、パッシブサンプラ２を保持した際に、パッシブサンプラ２がハウジング１０の空間１２内に収まるような長さを有している。
【００２５】
次に、本実施形態に係る捕集装置１を用いて大気中の被捕集物質を捕集する方法と、この捕集方法により捕集された被捕集物質の捕集量などから、大気中の被捕集物質の濃度を算出する方法ついて、説明する。本実施形態に係る捕集装置１を用いて大気中の被捕集物質を捕集するためには、まず、蓋部材１０ｂをハウジング本体１０ａから取り外した後、気密袋からパッシブサンプラ２を取り出し、パッシブサンプラ２の端部を保持部３０に保持させる。次に、パッシブサンプラ２がハウジング１０の空間１２内に位置するように、蓋部材１０ｂをハウジング本体１０ａに装着させる。その後、流動部２０の図示しない操作スイッチを操作してファン２２を駆動させ、空間１２内に一定速度の気体流を発生させる。これにより、パッシブサンプラ２の捕集面が被捕集物質を含有する気体流に均一に曝され、移動拡散現象によりパッシブサンプラ２に被捕集物質が捕集される。所定の捕集時間経過後、ファン２２の駆動を停止させると共に、蓋部材１０ｂをハウジング本体１０ａから取り外し、パッシブサンプラ２を気密袋に回収する。その後、パッシブサンプラ２を測定室まで搬送すると共に、測定室において、周知の種々の方法により、パッシブサンプラ２に捕集された被捕集物質の捕集量Ｍを測定する。
【００２６】
本実施形態に係る捕集装置１を用いて大気中の被捕集物質の濃度を算出するためには、まず、Ｆｉｃｋの拡散第１法則式（Ｊ＝Ｄ×Ｃ／Ｌ）から、使用したパッシブサンプラ２の被捕集物質に対する単位捕集速度Ｊを算出する。ここで、本実施形態に係る捕集装置１は、パッシブサンプラ２が曝される気体流を所定風速かつ一定の状態で発生させることにより、風速の影響を排除し、拡散長Ｌ、すなわち、パッシブサンプラ２の導入口から捕集面までの長さの値を一定にすることができるため、Ｆｉｃｋの拡散第１法則式を精度良く反映させて単位捕集速度Ｊを算出することができる。ここで、Ｆｉｃｋの拡散第１法則式において、Ｄは被捕集物質の分子拡散係数を表し、Ｃは周囲の濃度を表し、Ｃ／Ｌは濃度勾配を意味する。
【００２７】
次に、Ｆｉｃｋの拡散第１法則式（Ｊ＝Ｄ×Ｃ／Ｌ）から求められた単位捕集速度Ｊの値と、パッシブサンプラ２の捕集面積Ａの値に基づいて、（ＳＲ＝Ａ×Ｄ×Ｃ／Ｌ）式から総捕集速度、すなわちサンプリングレートＳＲを算出する。このサンプリングレートＳＲは、パッシブサンプラのある特定の被捕集物質に対する固有捕集速度である。ここで、サンプリングレートＳＲの次元単位は、［μｇ／（ｐｐｍ×ｍｉｎ）］である。
【００２８】
次に、（ＳＲ＝Ａ×Ｄ×Ｃ／Ｌ）式から求められたサンプリングレートＳＲの値と、パッシブサンプラ２により実際に捕集された被捕集物質の捕集量Ｍの値と、捕集時間ｔの値とに基づいて、（Ｃ´＝Ｍ／（ＳＲ×ｔ））式から大気中の被捕集物質の濃度Ｃ´を算出する。
【００２９】
このように、本実施形態に係る大気中の被捕集物質の濃度測定方法によれば、Ｆｉｃｋの拡散第１法則式（Ｊ＝Ｄ×Ｃ／Ｌ）を精度良く反映させ、（ＳＲ＝Ａ×Ｄ×Ｃ／Ｌ）式によりほぼ全ての拡散する被捕集物質のサンプリングレートＳＲを理論上推測することが可能となる。また、サンプリングレートＳＲの推測が可能となることにより、（Ｃ´＝Ｍ／（ＳＲ×ｔ））式により大気中の被捕集物質の濃度を正確に算出することができるため、精度の高い濃度測定を可能とすることができる。
【実施例】
【００３０】
次に、本実施形態に係る捕集装置１の実施例について、図３〜図５を用いて説明する。図３は、実施例１の捕集剤に捕集された主要なＶＯＣ量［μｇ］と比較例１の捕集剤に捕集された主要なＶＯＣ量［μｇ］の比を示すグラフであり、図４は、風速が異なるオフィス内２地点でのアクティブ法との比較測定結果を示すグラフであり、図５は、パッシブサンプラの捕集量と風速との関係を示すグラフである。
【００３１】
［揮発性有機化合物の捕集］
今回の測定においては、本実施形態に係る捕集装置１内にパッシブサンプラを収容させて被捕集物質の捕集を行なう捕集方法（実施例１）と、パッシブサンプラを単に環境に曝させて被捕集物質の捕集を行なう従来の捕集方法（比較例１）とを同一の測定場において実施し、被捕集物質の捕集量の比較を行なった。
【００３２】
測定場は、風速がおおよそ０から０．０４［ｍ／ｓｅｃ］で、パッシブサンプラの拡散長の延伸が起こりやすい新築オフィス内を選定した。本実施例１においては、捕集装置１の流動部２０が発生させる気体流の風速が、０．３〜０．５［ｍ／ｓｅｃ］となるように設定した。捕集する被捕集物質は、揮発性有機化合物（ＶＯＣ）とし、パッシブサンプラは、ＶＯＣ捕集用のチューブ型パッシブサンプラを用いた。この測定条件の下、測定場において２４時間捕集を行った後、パッシブサンプラから吸着剤を取り出し、溶媒抽出法にて捕集されたＶＯＣ類を捕集剤から有機溶媒へ抽出した。この溶液について分析機器（ガスクロマトグラフ質量分析法）で定量解析した。
【００３３】
今回の測定においては、図３に示す通り、実施例１の捕集量は、比較例１の捕集量よりも１．６倍ほど多いという結果が得られた。したがって、実施例１のほうが、比較例１よりも捕集効率が６０％高くなり、より低濃度の捕集が可能であることが明らかとなった。この測定結果は、環境試験装置内での定常環境試験の結果、すなわち、図５のパッシブサンプラの捕集量と風速との関係を示すグラフにおいて、風速が０．３〜０．５［ｍ／ｓｅｃ］である場合の捕集効率が、風速が０〜０．０４［ｍ／ｓｅｃ］である場合の捕集効率よりも約６０％高くなっている結果と整合するものであった。ここで、図５における縦軸は、パッシブサンプラの捕集量は、基準を明確にするために、ポンプを用いて捕集を行なうアクティブ法によって得られた捕集量との比［％］によって表してある。
【００３４】
［風速が異なるオフィス内２地点でのアクティブ法との比較］
次に、同新築オフィス内の異なる風速の２地点において、本実施形態に係る捕集装置１内にパッシブサンプラを収容させて被捕集物質の捕集を行なう捕集方法（実施例２）と、パッシブサンプラを単に環境に曝させて被捕集物質の捕集を行なう従来の捕集方法（比較例２）とを実施し、被捕集物質の捕集量の比較を行い、主要な室内汚染大気分析を行なった。
【００３５】
測定場は、新築オフィス内の風速が０．０５［ｍ／ｓｅｃ］の地点と、風速が０．０１［ｍ／ｓｅｃ］以下のほぼ無風状態の地点の２地点とした。被捕集物質は、１，２−ジクロロプロペン、２−ブタノン（ＭＥＫ）、２−ピネン、トルエン、エチルベンゼン、ｍ−キシレン、ｐ−キシレン、ｏ−キシレンとした。その他の測定条件及び解析条件は、上記［揮発性有機化合物の捕集］と同様とした。
【００３６】
今回の測定においては、図４に示す通り、実施例２は、全ての被捕集物質についてアクティブ法と比較して１００％近い比率を風速の異なる２地点で得られ、比較例２は、全ての被捕集物質について風速が異なるとアクティブ法との比が異なり、捕集量が２０％から３０％程度減少する傾向にあるという結果が得られた。図４において、縦軸は、風速０．０５［ｍ／ｓｅｃ］の地点における捕集量（Ｍ０．０５）と、風速０．０１［ｍ／ｓｅｃ］の地点における捕集量（Ｍ０．０１）との比（Ｍ０．０１／Ｍ０．０５）［％］とした。また、実施例２及び比較例２におけるそれぞれの地点の捕集量（Ｍ０．０１、Ｍ０．０５）は、基準を明確にするために、ポンプを用いて捕集を行なうアクティブ法の捕集量（Ｍａ）との比（Ｍ０．０１／Ｍａ、Ｍ０．０５／Ｍａ）［％］とした。この測定結果より、比較例２は、環境風速による影響が発生するのに対し、実施例２は、環境風速による影響がほとんどないことが明らかとなった。
【００３７】
本実施形態に係る捕集装置１によれば、現場における風速の影響を排除することが可能となり、これにより、一般的に簡易法として知られているパッシブサンプリングを、ポンプを用いて捕集を行なう一般的なアクティブサンプリングに相当する精度に高めることができる。
【００３８】
また、本実施形態に係る捕集装置１は、乾電池駆動のファン２２によりハウジング１０内に気体流を発生させるという簡単な構造の装置であるため、電源の確保が困難な場所においても使用することができ、また、例えば高速道路、生産工場などの被捕集物質発生源からの拡散調査など、測定箇所を多数設定する調査手法において、コストを掛けずに実施することができる。
【００３９】
さらに、本実施形態に係る捕集装置１において、ハウジング１０を遮光性を有する構成とすることにより、現場における風速の影響の排除のみならず、日光などの遮光効果を持たせることができる。
【００４０】
またさらに、本実施形態に係る捕集装置１は、風速の影響を排除することが可能であるため、拡散長Ｌを一般的なパッシブサンプラのように意図的に長くする必要がない。したがって、拡散長Ｌを極端に短くし、捕集速度を限りなく高めたパッシブサンプラを作成し、用いる事ができる。
【００４１】
本発明に係る捕集装置は、上述した実施形態に限定されるものではなく、本発明の技術思想を逸脱しない範囲内において種々の改変を行なうことができる。例えば、本実施形態に係る捕集装置１において、ハウジング１０は、円筒状のハウジング本体１０ａと、蓋部材１０ｂとから構成されるとしたが、これに限定されず、内部に空間を有し、該空間内に大気中の空気を流入可能な流入口及び空間内の空気が流出可能な流出口が形成されたものであれば、いかなる構成及び形状を有していても良い。
【００４２】
また、本実施形態に係る捕集装置１において、流入口１４は、多孔状に形成されるとしたが、これに限定されず、流入口１４は、大気中の空気をハウジングの内部に流入可能な構成であれば、いかなる構成、形状及び数であっても良い。
【００４３】
さらに、本実施形態に係る捕集装置１において、流動部２０は、ファン２２と、電力源とから構成されるとしたが、これに限定されず、ハウジングの流入口から空間内に空気を流入させると共に、その空気を流出口に向かって一定の速度で流動させ、空間内に所定速度の気体流を発生させるものであれば、いかなる構成及び形状を有していても良い。
【００４４】
またさらに、本実施形態に係る捕集装置１において、保持部３０は、気体流に対してパッシブサンプラ２の捕集面（周面）が均一に曝されるように保持可能に構成されているとしたが、これに限定されず、気体流が発生する位置にパッシブサンプラを保持するものであれば良い。
【符号の説明】
【００４５】
１  捕集装置、１０  ハウジング、１２  空間、１４  流入部、１６  流出部、２０  流動部、３０  保持部
【図１】
0005761588.tif 000002
【図２】
0005761588.tif 000003
【図３】
0005761588.tif 000004
【図４】
0005761588.tif 000005
【図５】
0005761588.tif 000006